(57)【要約】【課題】自動アクセス制御方法及びシステムを提供する。【解決手段】アクセス制御方法において、ユーザが登録され、かつ第一識別子を与えられ、ついで、前記ユーザは、前記第一識別子を用いてユーザ自身を識別し、自動読取デバイス(11)に第二識別子を有する符号化された個人情報媒体(21, 22)を読み取らせた後、前記ユーザが第二識別子と関連付けられる。その後、前記ユーザは、前記自動読取デバイスに前記個人情報媒体を読み取らせることによって、ユーザ自身を識別し、ついで、制御デバイス(15)は、前記個人情報媒体の読み取りに応じて操作される。【選択図】図１
2014186732.tif 000002
【特許請求の範囲】
【請求項１】
情報媒体の自動読み取り手段(11)と、選択的なアクセス許可に適合した自動制御手段(15)とを具備する自動アクセス制御システムによって実行されるアクセス制御方法において、前記方法は、少なくとも、
(a)ユーザが登録され、かつ、第一識別子を与えられる、新規登録ステップと、
(b)前記ユーザが前記第一識別子を用いて識別され、かつ、第二識別子を有する符号化された個人情報媒体(21, 22)を前記自動読み取り手段(11)によって読み取られせた後、前記ユーザが前記第二識別子と関連付けられる、関連付けステップと、
(c)前記第二識別子にアクセスするために、前記自動読み取り手段(11)が前記個人情報媒体(21, 22)を読み取るようにし、かつ、前記自動制御手段(15)が前記個人情報媒体の読み取りに応じて操作される、識別ステップと
を含むアクセス制御方法。
【請求項２】
ステップ(b)及び(c)で使用される前記個人情報媒体(21, 22)が、非接触読み取りを使用する電子情報媒体である、請求項１に記載の方法。
【請求項３】
ステップ(b)及び(c)で使用される前記個人情報媒体(21, 22)が、RFID情報媒体及びNFC情報媒体から選択される、請求項１に記載の方法。
【請求項４】
ステップ(b)及び(c)で使用される前記個人情報媒体(21, 22)が、電子カード(22)及び前記携帯電話(21)から選択される、請求項１〜３のいずれか一項に記載の方法。
【請求項５】
前記識別ステップ(d)で、前記自動アクセス制御手段(15)が、最初に施錠ポジション(7)に施錠されている二輪車(1)を選択的に解錠するように操作される、請求項１〜４のいずれか一項に記載の方法。
【請求項６】
操作手段(8, 2, 14)と、情報媒体自動読み取り手段(11)と、選択的にアクセスを許可するのに適合した自動制御手段(15)とを具備する自動アクセス制御システムにおいて、前記制御手段は、
ユーザを登録するとともに第一識別子をそれらに送信することと、
前記第一識別子を用いて前記ユーザを識別するとともに、前記自動読み取り手段(11)に個人情報媒体(21, 22)によって搬送された第二識別子を読み取らせ、ついで前記ユーザを前記第二識別子と関連付けることと、
前記自動読み取り手段に前記個人情報媒体を読み取らせ、ついで、前記個人情報媒体の前記読み取りに基づいて前記自動制御手段を操作することによって、前記ユーザを識別することと
に適合している、自動アクセス制御システム。
【請求項７】
前記自動読み取り手段(11)が、非接触読み取りを用いる少なくとも電子情報媒体(21, 22)を読み取ることに適合している、請求項６に記載のシステム。
【請求項８】
前記自動読み取り手段(11)が、RFID及びNFC情報媒体から選択された情報媒体(21, 22)を読み取ることに適合している、請求項７に記載のシステム。
【請求項９】
前記自動制御手段(15)が、施錠ポジション(7)の二輪車(1)を選択的に施錠及び解錠するための前記操作手段(8, 2, 14)によって操作される、自動的に二輪車(1)を利用可能にする、請求項６〜８のいずれか一項に記載のシステム。
【発明の詳細な説明】
【技術分野】
【０００１】
本発明は、アクセス制御方法及びシステムに関し、特に自動で二輪車を利用可能にするサービスにアクセスすることに関連する。
【０００２】
より具体的には、本発明は、ユーザの場所へのアクセス、あるいは製品又はサービスへのアクセスを可能にするために、ユーザを識別するコードを情報媒体から読み出す識別ステップを含むアクセス制御方法に関するものである。
【背景技術】
【０００３】
この態様の従来の方法では、ユーザの所与の情報媒体との対応は、一般に、決定的に登録される。この識別モードはしかし、例えば、電子または磁気カードのような、複数の符号化された情報媒体を使用するようにユーザに要求することになり、これは非実用的である。
【発明の概要】
【課題を解決するための手段】
【０００４】
本発明の特定の目的は、この欠点を解決することである。
【０００５】
この目的のために、本発明は、
情報媒体の自動読み取り手段と、選択的なアクセス許可(場所、製品、又はサービス)に適合した自動制御手段とを具備する自動アクセス制御システムによって実行されるアクセス制御方法を目的とし、前記方法は、少なくとも、
(a)ユーザが登録され、かつ、第一識別子(符号化された対象物又は非物質化された識別コード)を与えられる、新規登録ステップと、
(b)前記ユーザが前記第一識別子を用いて識別され、かつ、第二識別子を有する符号化された個人情報媒体を前記自動読み取り手段によって読み取られせた後、前記ユーザが前記第二識別子と関連付けられる、関連付けステップと、
(c)前記第二識別子にアクセスするために、前記自動読み取り手段が前記個人情報媒体を読み取るようにし、かつ、前記自動制御手段が前記個人情報媒体の読み取りに応じて操作される、識別ステップとを含む。
【０００６】
これらの構成によって、システムの前記自動読み取り手段と互換性がある限り、各ユーザは、ユーザ自身の個人符号化された情報媒体を使用することができ、ユーザが有していなければならない前記符号化された情報媒体の無意味な増加を避けることができる。
【０００７】
本発明に基づく方法の異なる態様において、以下の構成の一つ及び/又はその他(それらはそれぞれ独立して、かつ、前述の構成と独立して使用されてもよい)が要求によって追加されてもよい。その構成は、
‐前記個人情報媒体が、非接触読み取りを用いる電子情報媒体であることと、
‐前記個人情報媒体が、RFID情報媒体及びNFC情報媒体の間で選択されることと、
‐前記個人情報媒体が、電子カード及び携帯電話の間で選択されることと、
‐前記識別ステップ(d)の間に、前記自動アクセス制御手段が、施錠ポジションに最初に施錠された二輪車を選択的に解錠するように操作されることである。
【０００８】
さらに、本発明の目的はまた、操作手段と、情報媒体自動読み取り手段と、選択的にアクセスを許可するのに適合した自動制御手段とを具備する自動アクセス制御システムにおいて、前記制御手段は、
ユーザを登録するとともに第一識別子をそれらに送信することと、
前記第一識別子を用いて前記ユーザを識別するとともに、前記自動読み取り手段に個人情報媒体によって搬送された第二識別子を読み取らせ、ついで前記ユーザを前記第二識別子と関連付けることと、
その後、前記自動読み取り手段に前記個人情報媒体を読み取らせ、ついで、前記個人情報媒体の前記読み取りに基づき前記自動制御手段の操作によって前記ユーザを識別することとに適合している。
【０００９】
本発明に基づく方法の異なる態様において、以下の構成の一つ及び/又はその他(それらはそれぞれ独立して、かつ、前述の構成と独立して使用されてもよい)が要求によって追加されてもよい。その構成は、
前記自動読み取り手段が、非接触読み取りを用いる少なくとも電子情報媒体を読み取ることに適合していることと、
前記自動読み取り手段が、RFID及びNFC情報媒体から選択された情報媒体を読み取ることに適合していることと、
前記アクセス制御システムが、二輪車を自動的に利用可能にするためのシステムであって、前記自動制御手段が、施錠ポジションの二輪車を選択的に施錠及び解錠するための前記操作手段によって操作されることである。
【図面の簡単な説明】
【００１０】
本発明の他の特徴及び利点は、添付図面を参照し、その実施形態のいずれかを、非限定的な実施例として取り上げる以下の説明を通して明らかになる。
【００１１】
【図１】本発明の実施形態に基づくプロセスを実装するのに適合した、二輪車を利用可能にする自動システムを示した斜視図である。
【図２】図１のシステムの主な電気的構成要素を示すブロック図である。
【発明を実施するための形態】
【００１２】
様々の図面において、同じ参照符号は同一又は類似の構成を示す。
【００１３】
本発明は、場所、製品、又はサービスへのアクセスを与えるように機能するアクセス制御方法及びデバイスに関連する。以下の説明に具体的な場合が示され、アクセスが、二輪車を公道で自動的に利用可能にするサービス、特にそのような二輪車の自動レンタルサービスが与えられる。
【００１４】
図１に示されるように、本発明のシステムは、通常はそれぞれの二輪車保管ステーションに保管される、特に自転車のような二輪車1を具備し、図１にその一つが示される。これらの二輪車保管ステーションは、例えば一都市の様々なエリアに分布されてもよい。
【００１５】
それぞれの二輪車保管ステーションは、中央ステーションポジション2を有し、それはここでは、例えばキーボード3、スクリーン4、可能であれば携帯型電子カードリーダ5、及びチケット印刷デバイスを具備するユーザインターフェースを提供するインタラクティブ端末機として示されている。異なる形態として、インタラクティブ端末機2は、ユーザインターフェースを具備しなくてもよく、かつ前記二輪車保管ステーションと、中央サーバ8(SERV.)との間の単なる通信ゲートウェイであってもよい。
【００１６】
前記インタラクティブ端末機2は、二輪車予約及びレンタルを管理する中央サーバ8と通信するとともに、保管している間に二輪車を施錠するように機能する複数の施錠ポジション7とも通信し、例えば公道の地面に取り付けられ、かつ1つの二輪車1を施錠するのに適した施錠端末の形態でもたらされる。
【００１７】
従来においては、前記二輪車1は、後輪によってサポートされるフレームと、上部にハンドルバーを有するフォークとからなり、かつ、前輪に取り付けられている車体を具備している。図２に示されるように、各二輪車は、例えば、各施錠端末7に属した同様の通信インターフェース13(COM)と通信するように適合された通信インターフェース12(COM)に接続されうる、例えば、制御器、又はマイクロプロセッサ等のような中央電気的ユニット10(CPU)を具備してもよい。前記通信インターフェース12,13は、従来の任意のタイプであってもよく、例えば誘導による有線モード(抵抗接点(ohmic contact))によって、又は無線等によって実行されてもよい。
【００１８】
前記施錠端末7から前記通信インターフェース13に関しては、施錠端末7(マイクロプロセッサ、又はマイクロコントローラ等)に特有の電気的中央ユニット14(CPU)と通信し、この中央ユニット14はさらに、前記施錠端末7における二輪車を施錠するのに適合した電気ロック15(LOCK - ロックの実施例は、欧州特許出願公開第1,820,722号公報の実施例に与えられる)を制御し、施錠端末7における二輪車の施錠を検出するのに適合している少なくとも一つのセンサー16(SENS)、及び、通信インターフェース17(COM)と通信し、例えば、前述したインタラクティブ端末機2に属する同様の通信インターフェース18(COM)を用いて、ワイヤ6(図１)又は近距離無線接続等によって通信するのに適したモデムと通信する。
【００１９】
各施錠ポジション7はさらに、加入済ユーザがユーザ自身を識別することが可能な手段によって、例えばRFID又はNFCデータ媒体、特に、携帯電話21又は電子カード(図１参照)を読み込むような、非接触読み取りに好適に適合したデータ媒体電子リーダ11(READ)を具備してもよい。
【００２０】
前記インタラクティブ端末機2に関しては、マイクロプロセッサ、又はマイクロコントローラ等のような別の中央電気ユニット19(CPU)を具備し、該中央電気ユニット19は、前述の周辺機器3〜5と通信し、かつ、前述の中央サーバ8と無線又は有線で通信するMODEMのような通信インターフェース20(COM)と通信する。
【００２１】
これが、上記デバイスの動作方法である。
【００２２】
(a)例えば長期間又は短期間予約ステップのような、新規登録ステップにおいて、新規ユーザが前記サーバ8に登録され、かつ、第一識別子が前記ユーザに与えられる。前記第一識別子は、電子カードのような符号化された対象物であってよいが、有利には、例えば、チケットに印刷され、又は、前記ユーザによってユーザの携帯電話21に受信されるような一時的な識別コードであってもよい。
【００２３】
(b)続いて、二輪車を利用可能にするシステムがユーザ自身を識別可能にするために、例えば前記ユーザが、二輪車を借用するために二輪車保管ステーションに初めて行くとき、前記ユーザは、関連付けステップを実行する。このステップのとき、例えば、インタラクティブ端末機2において、前記ユーザは、前記第一識別子を用いてまずユーザ自身を識別する(例えば、コードが使用されるとき、前記ユーザがキーボード3上にこの第一識別子を入力することができる)。前記インタラクティブ端末機2は、ついで、前記ユーザに、一つの施錠ポジション7のリーダ11(又は、前記システムの他の任意の自動読み取り手段、例えば前記インタラクティブ端末機2に具備されるリーダ11(図示せず))に、符号化された個人情報媒体を読み取らせるように要求する。前記符号化された個人情報媒体は、前記ユーザが予め処理し、かつ、前記リーダ11と互換性があるような、例えば、上述した実施例におけるRFID又はNFC情報媒体(携帯電話21、又は電子カード22等)である。この個人情報媒体は、第二識別子を有する。前記第二識別子は、前記サーバ8が、前記第二識別子を用いてユーザを関連付けた後、使用されるリーダ11によって読み取られるとともに、前記サーバ8に送信される。
【００２４】
(c)続いて、前記ユーザが二輪車保管ステーションにおいて二輪車1を借用することを望むとき、前記ユーザは、データサポート21,22を前述の関連付けステップ(b)の間に用いることによって、例えば、前記施錠ポジション7のリーダ11にこの情報媒体21,22を読み取らせることによって、ユーザ自身を識別することができる。前記リーダ11は、前述の第二識別子を読み取るとともに、対応するユーザと関連付ける前記サーバ8にそれを送信する。
【００２５】
ついで、前記サーバ8は、前記ユーザが二輪車を借用する権利を有するかどうかを検証し、もし有する場合、前記サーバは、前記インタラクティブ端末機2に前記二輪車1を取り外す許可を与え、かつ、レンタルが始まった時間を記録する。ついで、前記インタラクティブ端末機2は、その施錠端末7から二輪車1を取り外すように操作し、その結果、前記ユーザはそれを取得し、使用することができる。
【００２６】
一旦、前記二輪車1が施錠端末7によって取り外されると、前記ユーザはそれを自由に使用することができる。前記ユーザが前記二輪車の使用を終えるとき、ユーザは、このステーションの利用可能な施錠端末7に前記二輪車1を係止することによって、前記二輪車を二輪車保管ステーション(前記二輪車を借りたステーション又は別のステーション)に戻す。ついで、このステーションのインタラクティブ端末機2は、サーバ8に前記二輪車1が戻されたことを通知し、ついで、前記サーバは、正常に前記二輪車1が施錠端末7に施錠されていることを一度確認する。
【符号の説明】
【００２７】
１  二輪車
２  インタラクティブ端末機
３  キーボード
４  スクリーン
５  カードリーダ
６  ワイヤ
７  施錠端末
８  管理サーバ
９  バッテリ
９ａ  コネクタ
９ｃ  論理ユニット
１０  中央ユニット
１１  リーダ
１２  通信インターフェース
１３  通信インターフェース
１４  中央ユニット
１５  ロック
１６  センサー
１７  通信インターフェース
１８  通信インターフェース
１９  中央電気ユニット
２０  通信インターフェース
【図１】
2014186732.tif 000003
【図２】
2014186732.tif 000004
【外国語明細書】
2014186732000001.pdf